(57)【要約】【課題】機能アイコンの解説情報を効率的に参照することができ、情報処理作業を効率化する。【解決手段】指示手段の移動操作により指示カーソルがアプリケーションウィンドウ中に表示された機能アイコンを指定した状態で指示手段の第２釦が操作された際に、表示装置に機能アイコンに関する機能操作一覧及び「解説」を含む操作選択ウィンドウを表示し、指示手段を移動操作して指示カーソルにより操作選択ウィンドウ中の「解説」を指定した状態で第１釦を操作した際に、表示装置に機能アイコンに関する機能説明が記述された解説情報ウィンドウを表示する。【選択図】        図２
2006244106.tif 000002
【特許請求の範囲】
【請求項１】
選択された所望のアプリケーションウィンドウ及び該アプリケーション内にて所定の機能を実行するための各種機能アイコンを表示する表示装置と、第１及び第２釦を有し、移動操作に同期して表示装置に指示カーソルを表示させる指示手段と、指示手段の移動操作により指示カーソルがアプリケーションウィンドウ中に表示された機能アイコンを指定した状態で指示手段の第２釦が操作された際に、表示装置に機能アイコンに関する機能操作一覧及び「解説」を含む操作選択ウィンドウを表示し、指示手段を移動操作して指示カーソルにより操作選択ウィンドウ中の「解説」を指定した状態で第１釦を操作した際に、表示装置に機能アイコンに関する機能説明が記述された解説情報ウィンドウを表示する制御手段とを備えた情報処理装置。
【請求項２】
請求項１の解説情報ウィンドウは、機能アイコンに関する機能説明と共に機能実行記述を含み、指示カーソルに機能実行記述を指定した状態で第１釦を操作することにより指定された機能を実行する情報処理装置。
【請求項３】
請求項１の解説情報ウィンドウは、アプリケーションウィンドウ中のあらかじめ設定された所定の箇所に表示される情報処理装置。
【請求項４】
請求項１の解説情報ウィンドウは、その一部に指示カーソルを移動した状態で第１釦を操作した状態を維持しながら指示カーソルを移動してアプリケーションウィンドウ中の任意箇所に移動して表示可能にした情報処理装置。
【請求項５】
機能アイコンを含む所望のアプリケーションウィンドウを表示装置に表示した状態で入力手段から入力される各種データに基づいて所望の情報処理を実行する情報処理装置において、アプリケーションウィンドウ中に表示される機能アイコンを指示カーソルにより指定した状態で指示手段の第２釦を操作することにより指定された機能アイコンに関する機能操作一覧及び「解説」を含む操作選択ウィンドウを表示し、指示カーソルにより操作選択ウィンドウ中の「解説」を指定することにより機能アイコンに関する機能説明が記述された解説情報ウィンドウを表示する情報処理方法。
【請求項６】
請求項５の解説情報ウィンドウは、機能アイコンに関する機能説明と共に機能実行記述を含み、指示カーソルに機能実行記述を指定した状態で第１釦を操作することにより指定された機能を実行可能にした情報処理方法。
【請求項７】
請求項５の解説情報ウィンドウは、アプリケーションウィンドウ中の予め設定された所定の箇所に表示する情報処理方法。
【請求項８】
請求項５の解説情報ウィンドウは、その一部に指示カーソルを移動した状態で第１釦を操作しながら指示カーソルを移動してアプリケーションウィンドウ中の任意箇所に移動して表示可能にした情報処理方法。
【発明の詳細な説明】
【技術分野】
【０００１】
本発明は、マイクロコンピュータ等の情報処理装置及びその処理方法、詳しくは各種のアプリケーションにより情報処理を実行する際に、画面上に表示された機能アイコンに関する機能の解説情報を表示処理する情報処理装置及びその処理方法に関する。
【背景技術】
【０００２】
例えばマイクロコンピュータの情報処理装置により所望の情報処理を実行する際に、表示装置の画面上に各種の機能アイコンを表示し、マウスカーソル等の指示手段により所望の機能マイコンを選択した状態で指示手段の左釦を押下操作することにより選択された機能を実行処理している。しかし、操作者は、表示画面上に表示された機能アイコンだけでは、どのような機能を実行処理するのか不明の場合があり、所望の機能を効率的に実行できなかった。
【０００３】
この問題を解決するため、例えば特許文献１に示す情報処理装置が提案されている。この情報処理装置は、表示画面に表示された機能アイコンにより実行する機能の内容や操作方法が不明の場合、先ず、表示画面上のカーソルマウスにより第１のアイコンを指定した状態で指示手段を左クリックして機能解説モードに切換えた後、マウスカーソルにより機能が不明な機能アイコン（第２のアイコン）を指示した状態で左クリックすることにより表示装置の画面上に機能アイコンの操作方法や機能説明等の解説情報を表示することにより処理作業の効率化を図っている。
【０００４】
しかし、この処理方法では、先ず、第１のアイコンを選択して機能解説モードに切換えた後に、所望の機能アイコンをマウスカーソルにより選択する必要があり、機能アイコンの解説情報を表示して参照可能にするのに手間がかかっていた。
【０００５】
他の方法としては、表示装置に表示されたアプリケーションウィンドウ中のヘルプアイコンをマウスカーソルにより選択してヘルプモードに切換えることによりヘルプウィンドウを表示した後に、このヘルプウィンドウ中において所望の機能アイコンに関するキーワードを入力したり、表示された機能リスト中からマウスカーソルにより所望の機能に関する記述をして所望の機能に関する解説情報を表示させている。
【０００６】
しかし、この方法にあっては、前者と同様に先ず、ヘルプアイコンによりヘルプモードに切換えた後に、所望の機能アイコンに関するキーワードを入力したり、表示された機能リストから所望の機能を選択する必要があり、操作に手間がかかっている。特に、この方法にあっては、要求される機能アイコンに関する適切なキーワードを入力する必要があり、このキーワードを設定するのにある程度の熟練度が要求されるため、不慣れな操作者では、適切に解説情報を参照することが困難であった。
【０００７】
【特許文献１】特許第２８０３２３６号公報
【発明の開示】
【発明が解決しようとする課題】
【０００８】
解決しようとする問題点は、解説情報を表示するには、第１のアイコンを押下して機能解説モードに切換えた状態で所望の機能アイコンを押下する必要があり、解説情報を表示するのに手間がかかる点にある。また、解説情報を表示するには、ヘルプアイコンを押下してヘルプモードに切換えた後に、所望の機能に関するキーワードを入力したり、機能リストから所望の記述を指定する必要があり、解説情報を表示するのにある程度の熟練度が要求される点にある。
【課題を解決するための手段】
【０００９】
請求項１の情報処理装置は、選択された所望のアプリケーションウィンドウ及び該アプリケーション内にて所定の機能を実行するための各種機能アイコンを表示する表示装置と、第１及び第２釦を有し、移動操作に同期して表示装置に指示カーソルを表示させる指示手段と、指示手段の移動操作により指示カーソルがアプリケーションウィンドウ中に表示された機能アイコンを指定した状態で指示手段の第２釦が操作された際に、表示装置に機能アイコンに関する機能操作一覧及び「解説」を含む操作選択ウィンドウを表示し、指示手段を移動操作して指示カーソルにより操作選択ウィンドウ中の「解説」を指定した状態で第１釦を操作した際に、表示装置に機能アイコンに関する機能説明が記述された解説情報ウィンドウを表示する制御手段とを備えたことを特徴とする。
【００１０】
請求項５の情報処理方法は、機能アイコンを含む所望のアプリケーションウィンドウを表示装置に表示した状態で入力手段から入力される各種データに基づいて所望の情報処理を実行する情報処理装置において、アプリケーションウィンドウ中に表示される機能アイコンを指示カーソルにより指定した状態で指示手段の第２釦を操作することにより指定された機能アイコンに関する機能操作一覧及び「解説」を含む操作選択ウィンドウを表示し、指示カーソルにより操作選択ウィンドウ中の「解説」を指定することにより機能アイコンに関する機能説明が記述された解説情報ウィンドウを表示することを特徴とする。
【発明の効果】
【００１１】
本発明は、機能アイコンを指定した状態で解説情報を表示させることができ、手間を省いて解説情報を効率的に参照することができる。
【発明を実施するための最良の形態】
【００１２】
本発明は、指示手段の移動操作により指示カーソルが画面に表示された機能アイコンを指定した状態で指示手段の第２釦が操作された際に、表示装置に機能アイコンに関する機能操作一覧及び「解説」を表示し、指示手段を移動操作して指示カーソルにより「解説」を指定した状態で第１釦を操作することにより表示装置に機能アイコンの機能に関する解説情報を表示することを最良の形態とする。
【実施例】
【００１３】
以下に実施形態を示す図に従って本発明を説明する。
図１において、情報処理装置１の制御手段を構成するＣＰＵ３にはプログラムメモリ５及び作業メモリ７が設けられ、プログラムメモリ５は情報処理装置１を所定動作させるためのシステムデータや各種の情報処理を実行するためのアプリケーションデータ等の各種プログラムデータを記憶する。尚、後述する機能解説処理を実行するための処理プログラムデータは、アプリケーションデータに含まれており、所望のアプリケーションを起動した際に、ＣＰＵ３は後述する表示装置１７に選択されたアプリケーションウィンドウ１７ａを表示したり、それぞれのアプリケーションウィンドウ１７ａ中に表示された機能アイコン１７ｂの機能に関する解説情報を表示させる。
【００１４】
作業メモリ７には作業データ記憶領域９、ウィンドウ情報記憶領域１１、画面情報記憶領域１３等を有し、作業データ記憶領域９は所望のアプリケーションを起動した際に後述する入力手段１５から入力された処理データを記憶する。ウィンドウ情報記憶領域１１は表示装置１７に表示される所望のアプリケーションウィンドウ１７ａの位置及び大きさを記憶する。画面情報記憶領域１３は表示装置１７に表示されたアプリケーションウィンドウ１７ａ内に表示される各種情報の内容や表示位置等の表示情報及び指示カーソルとしてのマウスカーソル１７ｃの位置情報等を記憶する。
【００１５】
ＣＰＵ３には、所謂マウスと称する指示手段としてのポインティング装置１９が接続され、表示装置１７に表示されたアプリケーションウィンドウ１７ａ内においてマウスカーソル１７ｃをポインティング装置１９の移動操作に同期して左右方向、上下方向等の任意の方向へ移動するように表示制御する。このポインティング装置１９には第１釦としての左釦１９ａ及び第２釦としての右釦１９ｂを備え、これら釦１９ａ・１９ｂの押下操作によりプレス、リリース、ドラッグ、クリック等の操作を実行させる。
【００１６】
ＣＰＵ３には、例えばキーボード等の入力手段１５が接続され、入力手段１５の操作により入力される各種データを検出して所望の情報処理を実行する。ＣＰＵ３には表示駆動回路２１が接続され、該表示駆動回路２１に接続されたＬＣＤ、ＣＲＴ、ＰＤ等の表示装置１７に選択されたアプリケーションウィンドウ１７ａやマウスカーソル１７ｃを表示させる。
【００１７】
上記したようにＣＰＵ３は、表示装置１７に選択されたアプリケーションウィンドウ１７ａやマウスカーソル１７ｃ及び所定の機能動作を実行するための各種機能アイコン１７ｂを表示制御すると共にウィンドウ情報記憶領域１１に、表示装置１７に表示された各アプリケーションウィンドウ１７ａの位置及び大きさを、また画面情報記憶領域１３に、表示装置１５に表示されたアプリケーションウィンドウ１７ａ内に表示される情報の内容や表示位置等の表示情報及びマウスカーソル１７ｃの位置情報等を記憶する。また、ＣＰＵ３は、後述するようにウィンドウ情報記憶領域１１及び画面情報記憶領域１３に記憶された情報に基づいて機能解説のパラメータを解析処理すると共に機能解説を編集して表示装置１７に表示処理する。
【００１８】
次に、情報処理装置１による機能解説の表示処理について説明する。
図２〜図１０において、所望の情報処理を実行するため、表示装置１７に表示されたスタート画面（図３参照）中から情報処理に必要な所望のアプリケーションを、ポインティング装置１９によりマウスカーソル１７ｃを移動操作してアプリケーションアイコン１７ｄを指定した状態で左釦１９ａをシングルクリック若しくはダブルクリックすることにより選択することにより指定されたアプリケーションを起動し、表示装置１７にアプリケーションウィンドウ１７ａを表示させる。（図４参照）
【００１９】
このアプリケーションウィンドウ１７ａには、例えば文書作成アプリケーションの場合には、文書入力ウィンドウと共にファイルを開いたり、閉じたりするためのファイルアイコン、印刷を実行する印刷アイコン等のように文書作成に必要な各種の機能を実行するための各種の機能アイコン１７ｂが配列されている。この表示装置１７にアプリケーションウィンドウ１７ａが表示されると、ウィンドウ情報記憶領域１１には表示装置１７上に表示されたアプリケーションウィンドウ１７ａの位置や大きさ等の各種ウィンドウ情報を記憶させると共に画面情報記憶領域１３に表示装置１７に表示されたアプリケーションウィンドウ１７ａ中の各種機能アイコン１７ｂやマウスカーソル１７ｃの内容や表示位置に関する情報を記憶させる。
【００２０】
上記状態にて所望のアプリケーションによる情報処理を実行中に、ステップ５１でポインティング装置１９の左釦１９ａまたは右釦１９ｂが押下されると、ステップ５３において画面情報記憶領域１３に記憶されたアプリケーションウィンドウ１７ａの画面情報に基づいて左釦１９ａまたは及び右釦１９ｂが押下された位置を解析し、ステップ５５において左釦１９ａまたは右釦１９ｂが押下された画面位置からマウスカーソル１７ｃが機能アイコン１７ｂを指定しているかを判定する。
【００２１】
マウスカーソル１７ｃにより指定された釦が機能アイコン１７ｂの場合には、ステップ５５がYESになり、ステップ５７においてマウスカーソル１７ｃにより指定された機能アイコン１７ｂの位置情報等によりその種類を解析して特定する。一方、マウスカーソル１７ｃが機能アイコン１７ｂ以外の箇所を指定している場合には、ステップ５５がNOになり、ステップ５９でマウスカーソル１７ｃが指定した箇所において操作可能な操作一覧及び「中止」の記述が配列された操作ウィンドウ１７ｅ（図５参照）を表示し、ステップ６５でマウスカーソル１７ｃを移動操作して機能ウィンドウ１７ｆ中から所望の機能または「中止」の記述を選択し、ステップ６７においてマウスカーソル１７ｃにより指定された記述が機能の場合には、ステップ６９により選択された所定の機能を実行処理した後にステップ５１に移る。反対に、ステップ６７により「中止」が選択されると、機能ウィンドウ１７ｆを閉じてステップ５１に移る。
【００２２】
次に、ステップ５５がYESの場合には、ステップ６１によりマウスカーソル１７ｃが機能アイコン１５ｂに位置した状態で押下された釦が左釦１９ａか右釦１９ｂかを判定する。今、押下された釦が左釦１９ａの場合にはステップ６１が「左釦」になり、ステップ６３により指定された機能アイコン１７ｂに関する各種機能一覧及び「中止」または「終了」（図６には「終了」が記述された場合を示す。）の記述が配列された機能ウィンドウ１７ｆ（図６参照）を表示した後、ステップ６５でマウスカーソル１７ｃを移動操作して機能ウィンドウ１７ｆ中から所望の機能または「中止」あるいは「終了」の記述を選択し、ステップ６７においてマウスカーソル１７ｃにより指定された記述が機能の場合には、ステップ６９により選択された所定の機能を実行処理した後にステップ５１に移る。反対に、ステップ６７により「終了」が選択されると、機能ウィンドウ１７ｆを閉じてステップ５１に移る。また、「中止」が選択されると、所望の機能の実行を取消してステップ５１に移る。
【００２３】
一方、マウスカーソル１７ｃが機能アイコン１７ｂを指定した状態で右釦１９ｂが押下された場合には、ステップ７１で指定された機能アイコン１７ｂに関して操作可能な各種操作記述及び最下行に「解説」記述が配列された操作ウィンドウ１７ｇ（図７参照）を表示する。この状態にてステップ７３でマウスカーソル１７ｃを移動操作して操作ウィンドウ１７ｇ中における所望の操作に関する記述または「解説」記述を指定した後に左釦２７ａを押下して選択すると、ステップ７５によりマウスカーソル１７ｃにより指定された記述が操作記述であるか「解説」記述であるかを判定する。今、図８に示すようにステップ７５で「解説」以外の操作に関する記述が選択されると、上記したステップ６３に移り、選択した機能の操作を実行処理する。
【００２４】
反対に、図９に示すようにステップ７５において操作ウィンドウ１７ｇ中から「解説」記述が選択されると、ステップ７７で選択された機能アイコン１７ｂの説明や操作方法及び機能実行記述等を含む解説情報ウィンドウ１７ｈ（図１０参照）を表示してステップ５１に移る。尚、機能アイコン１７ｂの解説情報ウィンドウ１７ｈ中の機能実行記述は、例えば他の解説情報と色分けして表示され、マウスカーソル１７ｃにより機能実行記述を指定した状態でポインティング装置１９の左釦１９ａが押下されると、記述された機能を実行するためにステップ６３に移る。
【００２５】
表示装置１７に表示された解説情報ウィンドウ１７ｇは、アプリケーションウィンドウ１７ａ中において予め設定された所定の箇所に固定的に表示したり、解説情報ウィンドウ１７ｇ中にマウスカーソル１７ｃを移動した後に、左釦１９ａを押下した状態でカーソルマウス１７ｃをアプリケーションウィンドウ１７ａ中の所望の箇所に移動するドラッグ操作により解説情報ウィンドウ１７ｇをアプリケーションウィンドウ１７ａ中の任意箇所に変更表示させるようにしてもよい。
【００２６】
本実施形態は、第１のアイコンにより機能解説モードに切換えた後に所望の機能に関する第２のアイコンを選択して機能説明の表示する特許文献１に示す情報処理方法やヘルプアイコンによりヘルプモードに切換えた後に所望の機能に関するキーワードを入力したり、機能記述を選択して機能説明を表示する従来の機能情報の表示処理に比べ、ポインティング装置１９の操作によりマウスカーソル１７ｃを所望の機能アイコン１７ｂに位置させた状態でその右釦１９ｂを操作することによりマウスカーソル１７ｃで指定された所望の機能アイコン１７ｂの機能に関する解説情報ウィンドウ１７ｇを表示することができ、解説情報を表示するための手間を省くことができると共に熟練度が低い操作者であっても解説情報を簡易に参照することができ、情報処理を効率的に行うことができる。
【図面の簡単な説明】
【００２７】
【図１】情報処理装置の概略を示す電気的ブロック図である。
【図２】機能解説表示処理手順を示すフローチャートである。
【図３】スタート画面例を示す説明図である。
【図４】アプリケーションウィンドウの表示例を示す説明図である。
【図５】操作一覧記述ウィンドウの表示例を示す説明図である。
【図６】機能ウィンドウの表示例を示す説明図である。
【図７】操作ウィンドウの表示例を示す説明図である。
【図８】マウスカーソルによる操作記述の選択状態例を示す説明図である。
【図９】マウスカーソルによる「解説」の選択状態例を示す説明図である。
【図１０】解説情報ウィンドウの表示例を示す説明図である。
【符号の説明】
【００２８】
１  情報処理装置
３  ＣＰＵ
１７  表示装置
１７ｂ  機能アイコン
１７ｃ  マウスカーソル
１７ｇ  解説情報ウィンドウ
１９  指示手段としてのポインティング装置
１９ａ  第１釦としての左釦
１９ｂ  第２釦としての右釦
【図１】
2006244106.tif 000003
【図２】
2006244106.tif 000004
【図３】
2006244106.tif 000005
【図４】
2006244106.tif 000006
【図５】
2006244106.tif 000007
【図６】
2006244106.tif 000008
【図７】
2006244106.tif 000009
【図８】
2006244106.tif 000010
【図９】
2006244106.tif 000011
【図１０】
2006244106.tif 000012